(57)【要約】【課題】手動で車体下に洗浄用のノズルを押し込んで洗浄しても、車体下中央部などまで洗浄するのは容易ではない。また、車をジャッキアップして、車体下を洗浄する時は、車体が傾く可能性もあり、危険が伴う作業である。また雪道走行で車体下に付着した融雪剤や、家畜伝染病に汚染された場所を走行した際に汚染した車体下を洗浄する専用の洗浄装置がほとんど無いのが現状である。【解決手段】車体下の洗浄を容易にする為に、図１の様に車輪を付けた装置が車体下の移動を可能にする。図１の装置を、図３の伸縮可能な装置に取り付けることで、レール等での洗浄装置移動が不要になり、洗浄装置本体の移動が可能になる。さらに、図３の装置から図１の装置だけ取り外して、高圧洗浄機などのホースに取り付ければ、車体をジャッキアップする事無く、手動でも車体下廻り全体の洗浄も可能になる利点がある。【選択図】図１
2017001451.tif 000002
【特許請求の範囲】
【請求項１】
車体下廻りを洗浄するために、図１の様に上部に複数の噴出ノズルを付けたパイプの両端に車輪を取り付け、車体下廻りを容易に移動可能にする事を特徴とする洗浄装置。
【請求項２】
図１の車輪付き洗浄水噴出装置が車体下廻りを移動するのに、図３の伸縮可能な装置に取り付けることで、レールなどの洗浄装置移動用ガイドが不要になり、図２の洗車機本体が移動可能になることを特徴とする洗浄装置。
【請求項３】
図１の車輪付き洗浄装置を図３の伸縮装置から取り外して、高圧洗浄機等のホースに接続し手動での洗浄も可能にすることを特徴とする洗浄装置。
【発明の詳細な説明】
【技術分野】
【０００１】
本発明は、移動可能な車体の下廻りの洗浄装置である。
【背景技術】
【０００２】
車体下廻りを手動で洗浄する場合、  車体のサイドから洗車ノズルを押し込んで洗浄するか、車体をジャッキアップして洗浄するなどの方法がある。また、機械による洗浄では、車体下洗浄機能の付いた箱型の洗車機の設置場所に出向いて洗浄する方法がある。
【０００３】
しかし手動で車体下廻りを洗浄する場合は、車体のサイドから洗車ノズルを押し込んでの洗浄では、車体下中央部まで十分に洗浄出来ないという欠点がある。また、箱型の洗車機は、車体の表面の洗浄を主にしている物が多く、車体下部の洗浄機能の付いた物は少ない。さらに、雪道を走行した場合、路面にまかれた融雪剤（塩化カルシウム）を、早急に洗い流し、車体下を塩害から守る必要があるが、車体下廻り専用の洗車機はほとんどない。
【０００４】
この改善策として、手動による洗浄の場合、車体をジャッキアップして、車体下中央部まで洗浄する方法があるが、車体が傾く可能性があり、危険な作業である。また、機械による洗浄では、特許文献１〜４の様な車体下洗浄機能の付いた洗車機で洗浄するなどの方法があるが、これらの機能が付いた洗車機を探す必要がある。
【先行技術文献】
【特許文献】
【０００５】
【特許文献１】特開２００６−１８８１９７号広報
【特許文献２】特開２００８−２７３３２２号広報
【特許文献３】特開２００９−１０１７９１号広報
【特許文献４】特開２０１１−０３１６９０号広報
【発明の概要】
【発明が解決しようとする課題】
【０００６】
解決しようとする問題点は、高圧洗浄機等により、手動で車体下廻りを洗浄する際に車体下中央部分など隅々まで洗浄できない点である。また車体をジャッキアップして、車体下を洗浄する場合は、車体が傾く可能性があり危険を伴う事である。また、雪道走行した後に、路面にまかれた融雪剤（塩化カルシウム）等の洗浄や、家畜伝染病などで、汚染された場所を走行した車両の下廻りを専用に洗浄できる移動可能な洗車機がないということである。
【課題を解決するための手段】
【０００７】
本発明は、図１の様に、複数の噴出ノズルを付けたパイプに車輪を付け、車体下廻りを前後に移動することで容易に車体下廻り全体の洗浄を可能にすることを最も主要な特徴とする。また、図１の装置を図３の伸縮可能な装置に取り付けることにより、洗浄装置移動の為のレールなどの設置工事を必要としない為、洗浄機本体が移動可能な車体下廻り洗浄装置として利用できる
【発明の効果】
【０００８】
本発明の車体下廻り洗浄装置は、図１の様に洗浄用パイプの両側に車輪を付けたことで、車をジャッキアップする事なく、車体下廻りの洗浄が容易になるという利点がある。また、洗浄機本体がコンパクトな設計なので設置場所を選ばず移動が容易になるという利点がある。
【図面の簡単な説明】
【０００９】
【図１】図１は車体下廻り洗浄用パイプの両側に車輪を付けた説明図である。（実施例１）
【図２】図２は図１の洗浄用パイプを取り付けた、コンパクトな設計の洗車装置の全体の説明図である。（実施例２）
【図３】図３は車体下廻り洗浄用パイプを前後に移動させる伸縮可能な装置の説明図である。（実施例３）
【発明を実施するための形態】
【００１０】
なるべく地面に近い位置から車体の下廻りを、車体下を傷つけずに洗浄するため、洗浄用パイプの両側に車輪を付けることで実現した。
【実施例１】
【００１１】
図１は、本発明装置の１〜３実施例の見取り図であって、車体の下廻りを洗浄するための噴出ノズルを付けたパイプの両側に車輪を取り付けた図である。
【実施例２】
【００１２】
図２は、本発明装置の１〜１６実施例であり、移動可能な洗浄装置の全体図である。車体下廻りを万遍なく洗浄する為に、図１の洗浄液噴出装置を取り付けた図３の伸縮可能な装置で前後に移動することにより、車体の下廻り全体を容易に洗浄するのにおおいに役立つ。また、図１の洗浄装置を図３の伸縮可能な装置から取り外し高圧洗浄機のホースに接続することで、手動での洗浄が可能になる。
【実施例３】
【００１３】
図３は本発明の４、５、６、１０、１１、１６実施例であり、伸縮可能な装置として、消防はしご車の様に、モーターを使って伸縮可能な装置をワイヤで引くことで引き伸ばし、車体下廻り洗浄用パイプを前方に移動させる。伸縮可能な装置を縮める際には、モーターを逆回転させ、伸縮可能な装置の最先端部に取り付けたバネ状の物で引っ張りの負荷をかけることにより、モーター逆回転の際のワイヤの弛みを防止する。また、洗浄水供給用のホースは、バネにより図３の収縮時に自動で巻き取られる。これら一連の行為は、レールなどの装置移動用ガイドが不要になり、洗浄機本体の移動が可能になる。
【産業上の利用可能性】
【００１４】
泥などで汚れた車体下廻りを洗浄出来るだけでなく、冬場の路面に散布された塩化カルシウムなどの融雪剤が付着した車体下廻りを、容易に除去する用途にも適用できる。また、家畜伝染病に汚染された現場を移動した際に汚染した車体の下廻りを、薬剤洗浄する用途にも適用できる。
【符号の説明】
【００１５】
１    車体下廻り洗浄パイプ
２    車体下廻り洗浄パイプ移動用車輪
３    洗浄液噴出ノズル
４    車体下廻り洗浄パイプ前後移動の伸縮可能な装置
５    伸縮可能な装置の収納用バネ状の物
６    伸縮可能な装置収納用バネ状の物を固定する物
７    洗浄液補給ホース迂回用プーリー
８    洗浄液供給ホースのバネによる自動巻取収納機
９    水及び洗浄液補給ホース接続コネクター
１０    伸縮可能な装置のワイヤ伸縮用モーター
１１    伸縮可能な装置の伸縮用ワイヤ
１２    ワイヤ移動用固定プーリー
１３    洗浄機器本体移動用車輪
１４    車体洗浄液供給用ホース
１５    洗浄装置収納箱
１６    伸縮可能な装置の伸延及び収納時ワイヤ迂回用プーリー
【図１】
2017001451.tif 000003
【図２】
2017001451.tif 000004
【図３】
2017001451.tif 000005